(57)【要約】      （修正有）【課題】オーディオプラグなどの電気信号を授受するコネクタと光信号を伝送する丸型光コネクタを共用可能なコネクタを提供する。【解決手段】コネクタの収容空間内に電気信号端子１４と光電変換器３２を設けた光電変換モジュールを収容し、コネクタ挿入部に丸型光プラグ５を挿入すると、該プラグ中の光ファイバーからの光信号は光電変換器３２により光電信号端子２３を経て伝送され、また光プラグに替わってオーディオプラグが挿入されると、電気信号端子１４を経由して電気信号が伝送される。【選択図】図８
0003106878.tif 000002
【実用新案登録請求の範囲】
【請求項１】
オーディオコネクタと、挿入接続座と、光電変換モジュールとを備える光電変換器において、
前記オーディオコネクタには結合座を有する結合面が設けられており、結合面から離れたもう一方の側部には収容空間が設けられており、結合面と収容空間は挿入孔によって繋がっており、収容空間内には電気信号端子が貫設されており、
前記挿入接続座には底座が設けられており、底座の一方の側部には複数の光電信号端子を貫設するベース部が設けられており、挿入接続座の底座には電気信号端子を貫設、定位する貫通孔が設けられており、
前記光電変換モジュールには対応孔を有するベース座が設けられており、対応孔から離れたもう一方の側部には収容空間が設けられており、収容空間には変換器が設置されており、変換器の一方の側部には複数の信号端子が設けられており、光電変換モジュールはオーディオコネクタの収容空間内に設けられており、変換器における一方の側部の信号端子は挿入接続座の光電信号端子と電気的接続を形成している、
ことを特徴とする光電変換器を備えるコネクタ。
【請求項２】
前記オーディオコネクタの底縁両側からは相対するように掛止突起が伸びており、挿入接続座の底座前縁からは鉤部が伸びており、オーディオコネクタの掛止突起は挿入接続座の鉤部を掛止、定位していることを特徴とする請求項１に記載の光電変換器を備えるコネクタ。
【請求項３】
前記オーディオコネクタの収容空間の両側にはガイドレールが設けられており、光電変換モジュールのベース座の両側にはガイド溝が設けられており、オーディオコネクタの収容空間に設けられているガイドレールに光電変換モジュールのベース座に設けられているガイド溝が嵌設、定位されていることを特徴とする請求項１に記載の光電変換器を備えるコネクタ。
【請求項４】
前記光電変換モジュールのベース座の収容空間両側壁には掛止突起が設けられており、ベース座の収容空間に設けられている掛止突起は変換器の表面を掛止していることを特徴とする請求項１に記載の光電変換器を備えるコネクタ。
【請求項５】
前記光電信号端子の一方の側部には湾曲した押止部が設けられており、変換器の信号端子末端には湾曲した接触部が設けられており、光電信号端子の押止部に信号端子の接触部が嵌設、定位されていることを特徴とする請求項１に記載の光電変換器を備えるコネクタ。
【考案の詳細な説明】
【技術分野】
【０００１】
本考案は、光電変換器を備えるコネクタに係り、特にオーディオコネクタの収容空間内に光電変換モジュールが設けられており、オーディオコネクタの結合座にオーディオプラグ、或いは丸型光プラグを挿設することができ、異なるコネクタをマザーボード上において使用する上で占用される空間を有効に減少させることができる光電変換器を備えるコネクタに関わる。
【背景技術】
【０００２】
現在マルチメディアシステムにおけるオーディオプラグと丸型光プラグの外形と寸法は同じであるが、メーカーが製造する時、上述のオーディオコネクタと光コネクタは別々に分かれており、お互いに独立して設置されており、そのためにマザーボード上の電気回路板上の空間を占用してしまい、さらに組立て時、分けて作業をする必要があり、時間も掛かってしまい、更に、現在多くの家庭用の映像音響製品は、軽くて、薄くて、短くて、小さいことがセールスポイントになっており、そのために製品を軽くて、薄くて、短くて、小さくした後、内部の電気回路板が応用できる空間は相対的に大幅に縮小され、且つ、科学技術の発達に伴い、製品の機能も向上しているので、上述のオーディオコネクタと光コネクタを分けて独立して設置する構造は現在の時代の流れに全く符合しないものであり、改良の必要が多大にある。
【０００３】
故に、本考案の考案者は上述の欠点を鑑み、多くの資料を集め、多方面からの調査と研究を行い、長年に渡る経験により、試作と改善の結果、ついに本考案である光電変換器を備えるコネクタを設計した。
【特許文献１】特開２００３−２１８８０４号公報
【特許文献２】特開平１０−１８９１６６号公報
【考案の開示】
【考案が解決しようとする課題】
【０００４】
本考案の主な目的は、オーディオコネクタの収容空間内に電気信号端子と光電変換モジュールが設置されており、オーディオコネクタの電気信号端子は挿入接続座の貫通孔内に貫設、定位されており、光電変換モジュールの変換器に設けられている信号端子は挿入接続座の光電信号端子と電気接続を形成しており、オーディオコネクタの結合座はオーディオプラグ、或いは丸型光プラグを挿設することができ、異なるコネクタをマザーボード上において使用する上で占用される空間を有効的に減少させることができる光電変換器を備えるコネクタを提供することである。
【課題を解決するための手段】
【０００５】
前記課題を解決するために、
請求項１の考案は、オーディオコネクタと、挿入接続座と、光電変換モジュールとを備える光電変換器において、
前記オーディオコネクタには結合座を有する結合面が設けられており、結合面から離れたもう一方の側部には収容空間が設けられており、結合面と収容空間は挿入孔によって繋がっており、収容空間内には電気信号端子が貫設されており、
前記挿入接続座には底座が設けられており、底座の一方の側部には複数の光電信号端子を貫設するベース部が設けられており、挿入接続座の底座には電気信号端子を貫設、定位する貫通孔が設けられており、
前記光電変換モジュールには対応孔を有するベース座が設けられており、対応孔から離れたもう一方の側部には収容空間が設けられており、収容空間には変換器が設置されており、変換器の一方の側部には複数の信号端子が設けられており、光電変換モジュールはオーディオコネクタの収容空間内に設けられており、変換器における一方の側部の信号端子は挿入接続座の光電信号端子と電気接続を形成している
ことを特徴とする光電変換器を備えるコネクタである。
【０００６】
請求項２の考案は、前記オーディオコネクタの底縁両側からは相対するように掛止突起が伸びており、挿入接続座の底座前縁からは鉤部が伸びており、オーディオコネクタの掛止突起は挿入接続座の鉤部を掛止、定位していることを特徴とする請求項１に記載の光電変換器を備えるコネクタである。
【０００７】
請求項３の考案は、前記オーディオコネクタの収容空間の両側にはガイドレールが設けられており、光電変換モジュールのベース座の両側にはガイド溝が設けられており、オーディオコネクタの収容空間に設けられているガイドレールに光電変換モジュールのベース座に設けられているガイド溝が嵌設、定位されていることを特徴とする請求項１に記載の光電変換器を備えるコネクタである。
【０００８】
請求項４の考案は、前記光電変換モジュールのベース座の収容空間両側壁には掛止突起が設けられており、ベース座の収容空間に設けられている掛止突起は変換器の表面を掛止していることを特徴とする請求項１に記載の光電変換器を備えるコネクタである。
【０００９】
請求項５の考案は、前記光電信号端子の一方の側部には湾曲した押止部が設けられており、変換器の信号端子末端には湾曲した接触部が設けられており、光電信号端子の押止部に信号端子の接触部が嵌設、定位されていることを特徴とする請求項１に記載の光電変換器を備えるコネクタである。
【考案の効果】
【００１０】
本考案により、オーディオコネクタの結合座はオーディオプラグ、或いは丸型光プラグを挿設することができ、異なるコネクタをマザーボード上において使用する上で占用される空間を有効的に減少させることができる光電変換器を備えるコネクタを提供できた。
【考案を実施するための最良の形態】
【００１１】
図１、２、３、４は本考案の立体外観図、立体分解図、光電変換モジュールの立体外観図、光電変換モジュールの立体分解図であり、図から分かるように、本考案はオーディオコネクタ１と、挿入接続座２と、光電変換モジュール３とから構成されている。
【００１２】
前記オーディオコネクタ１には結合座１１１を有する結合面１１が設けられており、結合面１１から離れたもう一方の側部には収容空間１２が設けられており、結合面１１と収容空間１２は挿入孔１３によって繋がっており、収容空間１２両側にはガイドレール１２１が設けられており、電気信号端子１４が貫設されており、上述のオーディオコネクタ１の底縁両側からは相対するように掛止突起１５が伸びている。
【００１３】
前記挿入接続座２には底座２１が設けられており、底座２１の一方の側部には複数の光電信号端子２３を貫設するベース部２２が設けられており、挿入接続座２の底座２１には複数の貫通孔２１１が設けられており、挿入接続座２の底座２１前縁からは鉤部２１２が伸びており、光電信号端子２３の一方の側部には湾曲した押止部２３１が設けられている。
【００１４】
前記光電変換モジュール３には対応孔３１１を有するベース座３１が設けられており、
ベース座３１の両側にはガイド溝３１２が設けられており、対応孔３１１から離れたもう一方の側部には収容空間３１３が設けられており、収容空間３１３の両側壁には掛止突起３１３１が突設されており、収容空間内３１３には変換器３２が設置されており、
ベース座３１の収容空間３１３に設けられている掛止突起３１３１は変換器３２の表面を掛止、定位しており、変換器３２の一方の側部には複数の信号端子３２１が設けられており、信号端子３２１末端には湾曲した接触部３２１１が設けられている。
【００１５】
図５、６、７は、本考案の組立て前の横断面図、組立て時の横断面図、組立て後の横断面図であり、図から分かるように、本考案を組立てる時、先ず挿入接続座２の底座２１に設けられている複数の貫通孔２１１にオーディオコネクタ１の電信信号端子１４を挿入し、オーディオコネクタ１の底縁から伸びている掛止突起１５を挿入接続座２前縁に設けられている鉤部２１２に掛止、定位し、この時、光電変換モジュール３のベース座３１に設けられているガイド溝３１２をオーディオコネクタ１の収容空間１２に設けられているガイドレール１２１内に嵌入し、それによって光電変換モジュール３をオーディオコネクタ１の収容空間１２内に安定的に定位することができ、光電変換ユニット３のベース座３１に設けられている対応孔３１１はオーディオコネクタ１の挿入孔１３に向かい合わせることができ、光電信号端子２３の押止部２３１と信号端子３２１の接触部３２１１とは電気接続を形成し、上述の部品を組立てた後、オーディオコネクタ１の外縁をカバーケース４で包み、それによって外部からの電磁波を有効的に遮断する。
【００１６】
図８、９は、本考案の好適な実施例の横断面図ともう一つの好適な実施例の横断面図であり、図から分かるように、本考案の上述の部品を組立てた後、丸型光プラグ５をオーディオコネクタ１の結合面１１に設けられている結合座１１１内に挿入すると、丸型光プラグ５の端面は光電変換モジュール３のベース座３１に設けられている対応孔内に嵌入され、変換器３２に対して光電変換回路が形成され、挿入接続座２の光電信号端子２３によって信号の伝送が行われ、また、使用者がオーディオプラグ６を挿入した時、オーディオコネクタ１の電気信号端子１４はオーディオプラグ６と電気接続され、オーディオコネクタ１の電気信号端子１４によって電気信号の伝送が行われる。
【００１７】
上述の説明から分かるように、本考案の光電変換器を備えるコネクタを使用した時、確実にその効果と目的を達成することができ、故に本考案は実用性に非常に優れた考案であり、実用新案請求の要件に符号するものであり、法に基づき申請を行う。
【図面の簡単な説明】
【００１８】
【図１】本考案の立体外観図である。
【図２】本考案の立体分解図である。
【図３】本考案の光電変換モジュールの立体外観図である。
【図４】本考案の光電変換モジュールの立体分解図である。
【図５】本考案の組立て前の横断面図である。
【図６】本考案の組立て時の横断面図である。
【図７】本考案の組立て後の横断面図である。
【図８】本考案の比較的好適な実施例の横断面図である。
【図９】本考案のもう１つの好適な実施例の横断面図である。
【符号の説明】
【００１９】
１        オーディオコネクタ
１１      結合面
１１１    結合座
１２      収容空間
１２１    ガイドレール
１３      挿入孔
１４      電気信号端子
１５      掛止突起
２        挿入接続座
２１      底座
２１１    貫通孔
２１２    鉤部
２２      ベース部
２３      光電信号端子
２３１    押止部
３        光電変換モジュール
３１      ベース座
３１１    対応孔
３２      変換器
３１２    ガイド溝
３２１    信号端子
３１３    収容空間
３２１１  接触部
４        カバーケース
５        丸型光プラグ
６        オーディオプラグ
【図１】
0003106878.tif 000003
【図２】
0003106878.tif 000004
【図３】
0003106878.tif 000005
【図４】
0003106878.tif 000006
【図５】
0003106878.tif 000007
【図６】
0003106878.tif 000008
【図７】
0003106878.tif 000009
【図８】
0003106878.tif 000010
【図９】
0003106878.tif 000011